(57)【特許請求の範囲】
【請求項１】
コンテンション期間中に無線通信デバイスによる無線送信を制御する無線通信ユニットを有し、
前記無線通信ユニットは、前記コンテンション期間中に前記無線送信を開始する前にバックオフ期間の間待機し、
前記バックオフ期間の持続時間は、前記無線送信の送信電力に対応するコンテンションウィンドウ調整関数に基づき、
前記無線通信ユニットは、前記送信電力の増加に伴って前記バックオフ期間の持続時間を増加させる無線通信デバイス。
【請求項２】
前記コンテンションウィンドウ調整関数は、
f(P)=1+(P/Pmax)^2
のように、前記送信電力と最大送信電力との間の関係に基づき、
ただし、f(P)は前記コンテンションウィンドウ調整関数を示し、Pは前記送信電力を示し、Pmaxは前記最大送信電力を示す、請求項１に記載の無線通信デバイス。
【請求項３】
前記コンテンションウィンドウ調整関数は、
f(P)=1+(D(P)/Dmax)^2
のように、Pで示す前記送信電力により実現されるD(P)で示す送信距離と、Dmaxで示す最大送信距離との間の関係に基づく、請求項１に記載の無線通信デバイス。
【請求項４】
前記無線通信ユニットは、前記無線送信を行うために通信リンクの１つ以上のパラメータに基づいて前記送信電力を設定する、請求項１ないし３のうちいずれか１項に記載の無線通信デバイス。
【請求項５】
前記無線通信ユニットは、所定の反復率で前記送信電力の設定を繰り返す、請求項４に記載の無線通信デバイス。
【請求項６】
前記無線通信ユニットは、データレート、変調符号化方式、前記通信リンクのサービス品質、パスロス測定、通信リンク品質及び他のデバイスへの干渉のうち少なくとも１つに基づいて前記送信電力を設定する、請求項４又は５に記載の無線通信デバイス。
【請求項７】
前記無線通信ユニットは、前記コンテンションウィンドウ調整関数に基づいてコンテンションウィンドウのサイズを判定し、前記コンテンションウィンドウ内で前記バックオフ期間を選択し、
前記コンテンションウィンドウ調整関数は、前記送信電力に対して単調に減少する、請求項１ないし６のうちいずれか１項に記載の無線通信デバイス。
【請求項８】
前記無線通信ユニットは、第１の送信電力を使用するときに、第１のバックオフ期間を使用し、前記第１の送信電力より大きい第２の送信電力を使用するときに、前記第１のバックオフ期間より長い第２のバックオフ期間を使用する、請求項１ないし７のうちいずれか１項に記載の無線通信デバイス。
【請求項９】
無線通信デバイスを含む無線通信システムであって、
前記無線通信デバイスは、
少なくとも１つのアンテナと、
バックオフ機構に従って前記アンテナを介した無線送信を制御する無線通信ユニットと
を含み、
前記無線通信ユニットは、前記無線送信の送信電力に基づいて前記バックオフ機構の少なくとも１つのバックオフパラメータを判定し、
前記無線通信ユニットは、前記送信電力の増加に伴ってバックオフ期間の持続時間を増加させるように前記バックオフパラメータを判定する無線通信システム。
【請求項１０】
前記無線通信ユニットは、第１の送信電力を使用するときに、第１のバックオフ期間を設定するように前記バックオフパラメータを判定し、前記第１の送信電力より大きい第２の送信電力を使用するときに、前記第１のバックオフ期間より長い第２のバックオフ期間を設定するように前記バックオフパラメータを判定する、請求項９に記載の無線通信システム。
【請求項１１】
前記少なくとも１つのバックオフパラメータは、コンテンションウィンドウを規定するコンテンションウィンドウパラメータを含む、請求項９又は１０に記載の無線通信システム。
【請求項１２】
前記コンテンションウィンドウパラメータは、最小コンテンションウィンドウ値を含む、請求項１１に記載の無線通信システム。
【請求項１３】
前記無線通信ユニットは、第１の送信電力を使用するときに、第１のコンテンションウィンドウを使用し、前記第１の送信電力より小さい第２の送信電力を使用するときに、前記第１のコンテンションウィンドウより短い第２のコンテンションウィンドウを使用する、請求項１１又は１２に記載の無線通信システム。
【請求項１４】
前記無線通信ユニットは、前記無線送信を行うために通信リンクの１つ以上のパラメータに基づいて前記送信電力を設定する、請求項９ないし１３のうちいずれか１項に記載の無線通信システム。
【請求項１５】
前記無線通信ユニットは、所定の反復率で前記送信電力の設定を繰り返す、請求項１４に記載の無線通信システム。
【請求項１６】
前記無線通信ユニットは、データレート、変調符号化方式、前記通信リンクのサービス品質、パスロス測定、通信リンク品質及び他のデバイスへの干渉のうち少なくとも１つに基づいて前記送信電力を設定する、請求項１４又は１５に記載の無線通信システム。
【請求項１７】
無線通信デバイスにおいて、バックオフ期間を利用するバックオフ機構に従って、無線通信を行うために通信リンクの１つ以上のパラメータに基づいて無線送信の送信電力を設定するステップと、
前記送信電力に基づいて、前記送信電力の増加に伴ってバックオフ期間の持続時間を増加させることにより、前記バックオフ期間の持続時間を調整するステップと
を含む無線通信方法。
【請求項１８】
前記送信電力を設定するステップは、データレート、変調符号化方式、前記通信リンクのサービス品質、パスロス測定、通信リンク品質及び他のデバイスへの干渉のうち少なくとも１つに基づいて前記送信電力を設定することを含む、請求項１７に記載の方法。
【請求項１９】
前記バックオフ期間の持続時間を調整するステップは、第１の送信電力を使用するときに、第１のコンテンションウィンドウを使用し、前記第１の送信電力より小さい第２の送信電力を使用するときに、前記第１のコンテンションウィンドウより短い第２のコンテンションウィンドウを使用することを含む、請求項１７又は１８に記載の方法。
【請求項２０】
前記バックオフ期間の持続時間を調整するステップは、前記送信電力に対して単調に減少する所定の関数に基づいてコンテンションウィンドウのサイズを調整し、前記コンテンションウィンドウ内で前記バックオフ期間を選択することを含む、請求項１７ないし１９のうちいずれか１項に記載の方法。
【発明の詳細な説明】
【背景技術】
【０００１】
無線通信システム又はネットワークでは、デバイスは、チャネルが使用されていないこと（“クリア（clear）”又は“アイドル（idle）”）を検知した後にのみ、無線チャネルで送信し得る。しかし、チャネルが現在使用されていないことを検知した直後にデバイスが送信を試みる場合、クリアな（未使用の）チャネルを待機していた全てのデバイスは、チャネルがビジー（使用中）にならなくなった直後に同時に送信を試みる可能性がある。結果としての信号の間の“衝突（collision）”は、１つ以上のデバイスが成功した送信を行うことを妨げる。
【０００２】
このような衝突の可能性を低減するために、いくつかの無線通信標準は、コンテンション（contention）に基づく機構を実装する。コンテンションに基づく機構では、“コンテンションウィンドウ（CW：Contention  Window）”方式は、オープンな（空きの）チャネルを検知した後の、送信を実際に実行する前のコンテンション期間を含む。コンテンション期間の間に、送信しようとしているデバイスは待機する。このコンテンションに基づく機構に従って、各デバイスは、例えばランダムに期間（“バックオフ期間”）を選択し、送信を試みる（“第１の送信試行”）前にチャネルがこの期間の間にアイドルになっている状態まで待機してもよい。CWは、デバイスが待機すべき最大期間を規定する。例えば、ランダムな値は、CW内になるように選択される。結果の第１の送信試行が成功しなかった場合、次の再試行のために、コンテンションウィンドウの長さは、再試行が成功するまで又は再送信の最大数に到達するまで、何らかの最大値まで繰り返し増加され得る（例えば２倍にされる）。CW期間は、CWの最小の開始サイズを規定する第１の値（CWminとして記される）と、CWの最大サイズを規定する第２の値（CWmaxとして記される）とにより規定されてもよい。
【図面の簡単な説明】
【０００３】
【図１】或る例示の実施例によるシステムの概略ブロック図
【図２】或る例示の実施例による無線通信方法の概略フローチャート
【図３】或る例示の実施例に従って、ウィンドウ調整係数を利用する無線通信デバイスについて無線エリアネットワークでのウィンドウ調整係数の関数としての勝率を示す第１のグラフと、１つ以上の他の無線通信デバイスについて勝率を示す第２のグラフとの概略図
【図４】或る例示の実施例による製造物の概略図
【発明を実施するための形態】
【０００４】
説明を簡潔且つ明瞭にするために、図面に示す要素は、必ずしも縮尺通りに記載されているとは限らない。例えば、提示を明瞭にするために、いくつかの要素の大きさは、他の要素に対して誇張されることがある。更に、対応する要素又は類似する要素を示すために、参照符号が図面の間で繰り返されることがある。
【０００５】
以下の詳細な説明では、或る実施例の完全な理解を提供するために、複数の特定の詳細が示されている。しかし、或る実施例は、これらの特定の詳細なしに実施されてもよいことが当業者に分かる。他の場合にも、周知の方法、手順、コンポーネント、ユニット及び／又は回路は説明をあいまいにしないように詳細には記載されていない。
【０００６】
例えば、“処理”、“計算”、“算出”、“判定”、“確立”、“分析”、“検査”等のような用語を利用したここでの説明は、コンピュータのレジスタ及び／又はメモリ内の物理量（例えば、電子量）として表されたデータを、コンピュータのレジスタ及び／又はメモリ又は動作及び／又は処理を実行するための命令を格納し得る他の情報記憶媒体内の物理量として同様に表された他のデータに操作及び／又は変換するコンピュータ、コンピュータプラットフォーム、コンピュータシステム又は他の電子計算デバイスの動作及び／又は処理を示してもよい。
【０００７】
ここで使用される“複数”という用語は、例えば、“多数”又は“２つ以上”を含む。例えば、“複数の項目”は、２つ以上の項目を含む。
【０００８】
或る実施例は、様々なデバイス及びシステム（例えば、ビデオデバイス、オーディオデバイス、オーディオビデオ（A/V）デバイス、セットトップボックス（STB）、ブルーレイディスク（BD）プレイヤ、BDレコーダ、デジタルビデオディスク（DVD）プレイヤ、高解像度（HD：High  Definition）DVDプレイヤ、DVDレコーダ、HD  DVDレコーダ、パーソナルビデオレコーダ（PVR）、放送HD受信機、ビデオソース（video  source）、オーディオソース（audio  source）、ビデオシンク（video  sink）、オーディオシンク（audio  sink）、ステレオチューナ、放送無線受信機、ディスプレイ、フラットパネルディスプレイ、パーソナルメディアプレイヤ（PMP）、デジタルビデオカメラ（DVC）、デジタルオーディオプレイヤ、スピーカ、オーディオ受信機、オーディオ増幅器、データソース、データシンク、デジタルスチールカメラ（DSC）、パーソナルコンピュータ（PC）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナルデジタルアシスタント（PDA）デバイス、ハンドヘルドPDAデバイス、オンボード（onboard）デバイス、オフボード（off-board）デバイス、ハイブリッドデバイス、車両用デバイス、非車両用デバイス、モバイル又はポータブルデバイス、消費者用デバイス、非モバイル又は非ポータブルデバイス、無線通信局、無線通信デバイス、無線アクセスポイント（AP）、有線又は無線ルータ、有線又は無線モデム、有線又は無線ネットワーク、無線エリアネットワーク、無線ビデオエリアネットワーク（WVAN）、ローカルエリアネットワーク（LAN）、無線LAN（WLAN）、パーソナルエリアネットワーク（PAN）、無線PAN（WPAN）、既存のWirelessHD（TM）及び／又はWGA（Wireless-Gigabit-Alliance）仕様及び／又は将来のバージョン及び／又はその派生に従って動作するデバイス及び／又はネットワーク、既存のIEEE802.11（IEEE  802.11-1999:  Wireless  LAN  Medium  Access  Control  (MAC)  and  Physical  Layer  (PHY)  Specifications）標準（“IEEE802.11標準”）、IEEE802.16標準及び／又は将来のバージョン及び／又はその派生に従って動作するデバイス及び／又はネットワーク、前述のネットワークの一部であるユニット及び／又はデバイス、一方向及び／又は双方向無線通信システム、セルラ無線電話通信システム、無線ディスプレイ（WiDi）デバイス、セルラ電話、無線電話、パーソナル通信システム（PCS）デバイス、無線通信デバイスを組み込んだPDAデバイス、モバイル又はポータブル全地球測位システム（GPS）デバイス、GPS受信機若しくはトランシーバ又はチップを組み込んだデバイス、RFIDエレメント又はチップを組み込んだデバイス、MIMO（Multiple  Input  Multiple  Output）トランシーバ又はデバイス、SIMO（Single  Input  Multiple  Output）トランシーバ又はデバイス、MISO（Multiple  Input  Single  Output）トランシーバ又はデバイス、１つ以上の内部アンテナ及び／又は外部アンテナを有するデバイス、デジタルビデオ放送（DVB）デバイス又はシステム、マルチ標準無線デバイス又はシステム、有線又は無線ハンドヘルドデバイス（例えば、Blackberry、Palm  Treo）、WAP（Wireless  Application  Protocol）デバイス等）と共に使用されてもよい。
【０００９】
或る実施例は、１つ以上の種類の無線通信信号及び／又はシステム（例えば、無線周波数（RF）、赤外線（IR）、周波数分割多重（FDM）、直交FDM（OFDM）、時分割多重（TDM）、時分割多重アクセス（TDMA）、E-TDMA（Extended  TDMA）、GPRS（General  Packet  Radio  Service）、extended  GPRS、CDMA（Code-Division  Multiple  Access）、WCDMA（登録商標）（Wideband  CDMA）、CDMA2000、シングルキャリアCDMA、マルチキャリアCDMA、MDM（Multi-Carrier  Modulation）、DMT（Discrete  Multi-Tone）、Bluetooth（登録商標）、全地球測位システム（GPS）、Wi-Fi、Wi-Max、ZigBee（TM）、UWB（Ultra-Wideband）、GSM（登録商標）（Global  System  for  Mobile  communication）、2G、2.5G、3G、3.5G、EDGE（Enhanced  Data  rates  for  GSM（登録商標）  Evolution）等）と共に使用されてもよい。他の実施例は、様々な他のデバイス、システム及び／又はネットワークで使用されてもよい。
【００１０】
ここで使用される“無線デバイス”という用語は、例えば、無線通信可能なデバイス、無線通信可能な通信デバイス、無線通信可能な通信局、無線通信可能なポータブル又は非ポータブルデバイス等を含む。或る実施例では、無線デバイスは、コンピュータに統合された周辺機器又はコンピュータに取り付けられた周辺機器でもよく、このような周辺機器を含んでもよい。或る実施例では、“無線デバイス”という用語は、任意選択で無線サービスを含んでもよい。
【００１１】
或る例示の実施例は、適切な制限された距離又は短距離の無線通信ネットワーク（例えば、ピコネット、無線エリアネットワーク、WVAN、WPAN等）と共に使用されてもよい。
【００１２】
或る実施例は、２つ以上のデバイスの間での適切なコンテンツの無線送信のために実装されてもよい。一実施例では、コンテンツは、メディアコンテンツ（例えば、オーディオ及び／又はビデオコンテンツ、例えば、HDTV（High  Definition  Television）コンテンツ等）を含んでもよい。他の実施例では、コンテンツは、他の適切なデータ、情報及び／又は信号を含んでもよい。
【００１３】
或る無線通信システムの配置は、比較的高密度でもよい。例えば、或る企業の配置は、アクセスポイントを20〜30メートルのみ相互に離して設定してもよい。無線通信システム（例えば、WiFiシステム）の無線送信の間の干渉は、例えば、無線通信システムの密度の増加と共に増加してもよい。
【００１４】
分散ネットワークにおける無線通信デバイス（ノード）は、例えば、送信距離に拘らず、送信を行うために最大送信電力を使用してもよい。ノードは、自分のリンク性能を最大化するために、例えば、適切な標準又はノードにより実装されたプロトコルで許可された最大送信電力を使用することが好ましいことがある。例えば、他のノードが最大送信電力を使用し続ける一方で、ノードが低減した送信電力を使用する場合、低減した送信電力を使用するノードは、例えば他のノードからの干渉のため、低減したスループットを受ける可能性がある。
【００１５】
過度の送信電力の使用は、比較的高い干渉のフットプリント（footprint）を課す可能性があり、必要以上に高密度の並列送信を妨げる。例えば、最大送信電力の使用は、同じエリア内（例えば、同じ家の２つの隣接する部屋の中）の２つのWiDiリンクの利用を妨げる可能性がある。この理由は、例えば、２つのWiDiリンクの間の干渉が、最小の必要なWiDi送信レートのサポートを妨げる可能性があるからである。
【００１６】
或る例示の実施例では、例えば以下に説明するように、無線通信デバイスは、最大送信電力より小さい送信電力を制御できるように使用してもよい。
【００１７】
或る例示の実施例では、無線通信システムにおいてノードの送信電力を低減することは、低減した干渉を生じてもよく、複数の並列リンク（例えば、２つ以上の並列WiDiリンク）の使用を可能にしてもよく、及び／又は更に高いシステムスループットを実現してもよい。例えば、無線通信システムのノードが最大電力から最小の必要な電力（例えば、最も高い変調及び符号化のセット及び／又は他の要件をサポートする最低の送信電力）に送信電力を下げた場合、無線リンクのスループットは、例えば5の係数（5倍）だけ増加してもよい。
【００１８】
或る例示的な実施例によるシステム100のブロック図を概略的に示す図１を参照する。システム100は、複数の通信ノードを含む無線エリアネットワークとして動作してもよい。システム100の各ノードは、システム100で情報を通信可能ないずれか適切な物理及び／又は論理エンティティを含んでもよく、いずれかの適切なハードウェア及び／又はソフトウェアを使用して実装されてもよい。
【００１９】
或る例示の実施例では、システム100の１つ以上のノードは、１つ以上の適切な無線通信リンク（例えば、無線チャネル、IRチャネル、RFチャネル、WiFi（Wireless  Fidelity）チャネル等）でコンテンツを通信可能でもよい。任意選択で、システム100の１つ以上のノードは、いずれかの適切な有線通信リンクで通信可能でもよい。
【００２０】
或る例示の実施例では、システム100は、WirelessHD（TM）仕様、WGA（Wireless-Gigabit-Alliance）仕様等に従って実装されてもよい。例えば、システム100は、WVAN、WPAN等の機能を実行してもよい。他の実施例では、システム100は、他の適切な標準、プロトコル又は仕様（例えば、ITU（International  Telecommunications  Union）、ISO（International  Organization  for  Standardization）、IEC（International  Electrotechnical  Commission）、IEEE（Institute  of  Electrical  and  Electronics  Engineers）、IETF（Internet  Engineering  Task  Force）等により促進されている標準、プロトコル及び／又は仕様）に従って実装されてもよい。
【００２１】
或る例示の実施例では、システム100は、１つ以上の適切な通信プロトコルに従って情報を通信、管理及び／又は処理してもよい。例えば、システム100は、MAC（medium  access  control）プロトコル、PLCP（Physical  Layer  Convergence  Protocol）、SNMP（Simple  Network  Management  Protocol）、ATM（Asynchronous  Transfer  Mode）プロトコル、フレームリレープロトコル、SNA（Systems  Network  Architecture）プロトコル、TCP（Transport  Control  Protocol）、IP（Internet  Protocol）、HTTP（Hypertext  Transfer  Protocol）、UDP（User  Datagram  Protocol）等のうち１つ以上を実装してもよい。
【００２２】
図１に示すように、或る実施例では、システム100は、１つ以上の無線通信デバイス（“ノード”）（例えば、デバイス104及び／又は106）を含んでもよい。
【００２３】
或る例示の実施例では、無線通信デバイス106及び／又は104は、例えば、ビデオデバイス、WiDiデバイス、オーディオデバイス、A/Vデバイス、STB、BDプレイヤ、BDレコーダ、DVDプレイヤ、HD  DVDプレイヤ、DVDレコーダ、HD  DVDレコーダ、PVR、放送HD受信機、ビデオソース、オーディオソース、ビデオシンク、オーディオシンク、ステレオチューナ、放送無線受信機、フラットパネルディスプレイ、PMP、DVC、デジタルオーディオプレイヤ、スピーカ、オーディオ受信機、オーディオ増幅器、データソース、データシンク、DSC、メディアプレイヤ、スマートフォン、テレビ、音楽プレイヤ、PC、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、PDAデバイス、ハンドヘルドPDAデバイス、オンボードデバイス、オフボードデバイス、ハイブリッドデバイス（例えば、セルラ電話機能とPDAデバイス機能との結合）、消費者用デバイス、車両用デバイス、非車両用デバイス、モバイル又はポータブルデバイス、非モバイル又は非ポータブルデバイス、セルラ電話、PCSデバイス、無線通信デバイスを組み込んだPDAデバイス、モバイル又はポータブルGPSデバイス、DVBデバイス、比較的小型のコンピュータデバイス、非デスクトップコンピュータ、CSLL（Carry  Small  Live  Large）デバイス、ウルトラモバイルデバイス（UMD）、ウルトラモバイルPC（UMPC）、モバイルインターネットデバイス（MID）、“Origami”デバイス又はコンピュータデバイス、DCC（Dynamically  Composable  Computing）をサポートするデバイス、コンテキスト認識デバイス等を含んでもよい。
【００２４】
或る例示の実施例では、無線デバイス106は、無線通信ユニット118を含んでもよく、無線通信デバイス104は、無線通信ユニット107を含んでもよい。
【００２５】
或る例示の実施例では、例えば、デバイス104及び／又は106は、１つ以上のプロセッサ116と、入力ユニット108と、出力ユニット110と、メモリユニット114と、記憶ユニット112とを含んでもよい。コーディネータ（coordinator）102、デバイス104及び／又はデバイス106は、他の適切なハードウェアコンポーネント及び／又はソフトウェアコンポーネントを任意選択で含んでもよい。或る実施例では、デバイス104及び／又はデバイス106のそれぞれのコンポーネントの一部又は全部は、共通の筐体又はパッケージに入れられてもよく、１つ以上の有線又は無線リンクを使用して相互接続又は動作可能に関連付けされてもよい。他の実施例では、デバイス104及び／又はデバイス106のコンポーネントは、複数又は別々のデバイス又は位置の間に分散されてもよい。
【００２６】
プロセッサ116は、例えば、中央処理ユニット（CPU）、デジタルシグナルプロセッサ（DSP）、１つ以上のプロセッサコア、単一コアのプロセッサ、デュアルコアのプロセッサ、マルチコアのプロセッサ、マイクロプロセッサ、ホストプロセッサ、コントローラ、複数のプロセッサ若しくはコントローラ、チップ、マイクロチップ、１つ以上の回路、回路構成、論理ユニット、集積回路（IC）、特定用途向けIC（ASIC）、又は他の適切な多用途若しくは特有のプロセッサ若しくはコントローラを含む。プロセッサ116は、例えば、デバイス104及び／又はデバイス106のオペレーティングシステム（OS）及び／又は１つ以上の適切なアプリケーションの命令を実行する。
【００２７】
入力ユニット108は、例えば、キーボード、キーパッド、マウス、タッチパッド、トラックボール、スタイラス、マイクロフォン又は他の適切なポインティングデバイス若しくは入力デバイスを含む。出力ユニット110は、例えば、モニタ、スクリーン、陰極線管（CRT）ディスプレイユニット、液晶ディスプレイ（LCD）ディスプレイユニット、プラズマディスプレイユニット、１つ以上のオーディオスピーカ若しくはイヤホン、又は他の適切な出力デバイスを含む。
【００２８】
メモリユニット114は、例えば、ランダムアクセスメモリ（RAM）、読み取り専用メモリ（ROM）、ダイナミックRAM（DRAM）、シンクロナスDRAM（SD-RAM）、フラッシュメモリ、揮発性メモリ、不揮発性メモリ、キャッシュメモリ、バッファ、短期記憶ユニット、長期記憶ユニット、又は他の適切なメモリユニットを含む。記憶ユニット122は、例えば、ハードディスクドライブ、フロッピー（登録商標）ディスクドライブ、コンパクトディスク（CD）ドライブ、CD-ROMドライブ、DVDドライブ、又は他の適切な取り外し可能若しくは取り外し不可能記憶ユニットを含む。メモリユニット1114及び／又は記憶ユニット112は、例えば、デバイス104及び／又はデバイス106により処理されるデータを格納する。
【００２９】
無線通信ユニット118及び／又は107は、例えば、無線通信信号、RF信号、フレーム、ブロック、送信ストリーム、パケット、メッセージ、データ項目及び／又はデータを送信及び／又は受信可能な１つ以上の無線送信機、受信機及び／又はトランシーバを含む。例えば、通信ユニット118及び／又は107は、無線ネットワークインタフェースカード（NIC）等を含んでもよく、無線NIC等の一部として実装されてもよい。
【００３０】
無線通信ユニット118及び／又は107は、１つ以上のアンテナ又は１つ以上のセットのアンテナ120及び／又は105をそれぞれ含んでもよく、これらに関連付けられてもよい。アンテナ120及び／又は105は、例えば、内部及び／又は外部RFアンテナ、ダイポールアンテナ、モノポールアンテナ、無指向性アンテナ、エンドフェッドアンテナ（end  fed  antenna）、円偏波アンテナ、マイクロストリップアンテナ、ダイバーシチアンテナ、又は無線通信信号、ブロック、フレーム、送信ストリーム、パケット、メッセージ及び／又はデータを送信及び／又は受信するのに適した他の種類のアンテナを含んでもよい。
【００３１】
或る例示の実施例では、デバイス104及び／又は106は、Pmaxで示す最大送信電力（例えば、以下に説明するようにシステム100により利用される標準及び／又はプロトコルに従った最大送信電力）未満の送信電力を制御可能に使用してもよい。
【００３２】
或る例示の実施例では、システム100の少なくとも１つの無線通信デバイス（例えば、デバイス104及び／又は106）は、Pで示す送信電力を設定可能でもよい。この送信電力は、無線通信デバイスにより無線送信を行うための通信リンクの１つ以上のパラメータに基づいて送信を実行するために利用される。
【００３３】
或る例示の実施例では、無線通信ユニット107は、無線通信ユニット107による送信に利用される通信リンク121の１つ以上のパラメータを判定してもよい。パラメータは、例えば、データレート、変調符号化方式（MCS：Modulation-Coding-Scheme）、通信リンク121のサービス品質（QoS：quality-of-service）、パスロス測定、通信リンク品質、他のデバイスへの干渉、及び／又はリンク121及び／又はリンク121での送信に関する他の適切なパラメータのうち少なくとも１つを含んでもよい。
【００３４】
或る例示の実施例では、無線通信ユニット107は、１つ以上のパラメータに基づいてリンク121で送信を実行するための送信電力Pを動的に設定してもよい。例えば、無線通信ユニット107は、リンク121のデータレート、平均スループット、リンク121のMCS、リンク121のQoS、リンク121に関連するパスロス測定、リンク121の通信リンク品質、他のデバイスへの干渉、及び／又はリンク121及び／又はリンク121での送信に関する他の適切なパラメータのうち少なくとも１つに基づいて送信電力Pを設定してもよい。
【００３５】
或る例示の実施例では、例えば以下に説明するように、無線通信ユニット107は、繰り返し及び／又は周期的に（例えば、所定の反復率で）パラメータを判定し、及び／又は送信電力Pを設定してもよい。
【００３６】
或る例示の実施例では、無線通信ユニット107は、いずれかの適切な方法及び／又はプロトコルに従って（例えば、IEEE802.11標準等により規定されているように）、データレート、MCS及び／又はリンク121に関する他のパラメータを監視してもよい。
【００３７】
１つの例示の実施例では、無線通信ユニット107は、例えば周期的に、無線通信ユニット107による送信に利用される１つ以上のリンク（例えば、各リンク、例えば、リンク121）のMCS、スループット及び／又は送信電力Pを判定又は測定してもよい。無線通信ユニット107は、リンクのそれぞれ（例えば、リンク121）の送信電力を、リンクの判定されたスループット及び／又はMCSを実現するのに適した最低又は最小の送信電力に設定してもよい。無線通信ユニット107は、例えば、周期的に（例えば、所定の反復率で）送信電力を設定してもよい。反復率は、例えば、少なくとも10ビーコン間隔、例えば100ビーコン間隔のレートを含んでもよい。
【００３８】
１つの非限定的な例では、例えば、1/2のBPSK（Binary-Phase-Shift-Keying）コードレートについて10%のパケット誤り率（PER：Packet  Error  Rate）を実現するために、10デシベル（dB）の信号対雑音比（SNR：Signal-to-Noise-Ratio）が必要になってもよい。この例によれば、無線通信ユニット107は、リンク121での送信のための送信電力を最低レベル（P<Pmax）に維持してもよい。このことにより、10dBのSNRを維持することが可能になる。
【００３９】
或る例示の実施例では、システム100の無線通信デバイス（例えば、無線通信デバイス104及び106）は、送信電力Pを動的に調整してもよい。その結果、例えば一定の送信電力（例えば、最大送信電力Pmax）を使用したシステム100の各デバイスから生じる干渉に比べて、システム100のデバイスの送信の間の干渉が低減されてもよい。
【００４０】
或る例示の実施例では、システム100のノード（例えば、無線通信デバイス104）は、周期的に、例えば、所定の反復率又は頻度で（例えば、10ビーコン間隔毎、100ビーコン間隔毎等）、送信電力Pを測定及び／又は調整してもよい。一例では、システム100の全てのノードは、送信電力Pを測定及び／又は調整するために同じ反復率を利用してもよい。
【００４１】
或る例示の実施例では、特定の期間（例えば、10ビーコン間隔）の間にシステム100の第１のノード（例えば、無線通信デバイス104）により利用される送信電力の低減は、システム100の１つ以上の周辺ノード（例えば、以前は受信閾値外であったが、CCA（Clear  Channel  Avoidance）検出範囲内にあったノード）への干渉の低減を生じてもよい。従って、これらの周辺ノードも、例えば依然として実質的に同じデータレートを実現しつつ、送信電力を低減してもよい。その結果、他のノードにより利用される低減した送信電力は、第１のノードにより検知されるチャネル品質を改善してもよい。従って、第１のノードは、更に送信電力を低減してもよく、例えば、平衡状態に到達し、システム100の各ノードが最適な電力レベルで動作し得るまで（例えば、数回又は繰り返しの電力調整の後まで）同様に行われてもよい。
【００４２】
或る例示の実施例では、ノード（例えば、無線通信デバイス104）は、例えばスループットの増加を実現するために、ノードにより利用される送信電力を（例えば、第１の電力レベルP1から第２の電力レベルP2まで）増加させてもよい。例えば、電力レベルP2を使用したデータレートが電力レベルP1を使用したデータレートより高くない場合、ノードは、送信電力を電力レベルP1に戻してもよい。
【００４３】
或る例示の実施例では、送信ノード（例えば、デバイス104の無線通信ユニット107）は、リンク（例えば、リンク121）で適切なMCS要求を受信ノード（例えば、デバイス106）に送信し、受信ノードから受信した応答MCSに基づいてリンクのMCSを判定してもよい。
【００４４】
或る例示の実施例では、送信電力の動的な調整は、例えば、無線通信システム（例えば、システム100）のほとんどのノード又は実質的に全てのノード（“非レガシーノード（non-legacy  node）”）により利用された場合に最も効率的になってもよい。送信電力の動的な調整を利用しないノード（“レガシーノード（legacy  node）”）の数が増加すると、送信電力の動的な調整の効率が減少し得る。例えば、システム（例えば、システム100）のレガシーノードの数が非レガシーノードの数以上になった場合、改善の減少が生じることがあり、又は全く改善が生じないこともある。例えば、この理由は、レガシーノードが最大送信電力Pmaxを継続して利用するからである。
【００４５】
或る例示の実施例では、通信リンクによる通信チャネルの消費レベルは、持続時間の要因（例えば、リンクでの送信の持続時間）と、空間の要因（“干渉フットプリントエリア（interference  footprint  area）”）（例えば、リンクにより占有されるチャネルの部分）とに基づいてもよい。例えば、チャネル内においてリンクでの送信の持続時間が半分に低減された場合、チャネルの消費は半分に低減される。例えば、この理由は、他の送信が残りの半分の間に実行されてもよいからである。干渉フットプリントが半分に低減されるように送信の送信電力が低減された場合、消費も半分に低減される。
【００４６】
例えばIEEE802.11標準により規定される通常のコンテンションに基づく機構は、送信の持続時間に基づくが、送信によりもたらされる干渉フットプリントは無視される。その結果、最大送信電力が過大であったとしても、及び／又は最大送信電力が送信に必要ないとしても、ノード（例えば、802.11標準によるノード）は、最大送信電力Pmax又は他の最も高い利用可能な送信電力を常に利用するように構成され得る。
【００４７】
或る例示の実施例では、システム100の１つ以上のノード（例えば、無線通信デバイス104）は、ノードにより実行される無線送信の送信電力に基づいて、システム100のコンテンションに基づく機構の少なくとも１つのバックオフパラメータを判定してもよい。例えば、小さい送信電力を使用するノードは、より大きい部分の時間だけチャネルを使用することを許可されてもよい。逆に、大きい送信電力を使用するノードは、より小さい部分の時間だけチャネルを使用することを許可されてもよい。従って、ノードは、少なくとも１つの他のノードによる少なくとも１つの他の同時送信を許容しつつ、低減した送信電力（例えば、最低の適切な送信電力）を使用することを促されてもよい。
【００４８】
或る例示の実施例では、システム100は、コンテンションに基づく機構を実装してもよい。コンテンションに基づく機構では、“コンテンションウィンドウ（CW：Contention  Window）”方式は、オープンな（“空きの（clear）”）チャネルを検知した後の、送信を実際に実行する前のコンテンション期間を含む。コンテンション期間の間に、送信しようとしているノードは待機する。このコンテンションに基づく機構に従って、システム100の各ノードは、例えばランダムに期間（“バックオフ期間”）を選択し、送信を試みる（“第１の送信試行”）前にチャネルがこの期間の間にアイドルになっている状態まで待機してもよい。CWは、ノードが待機すべき最大期間を規定する。例えば、ランダムな値は、CW内になるように選択される。結果の第１の送信試行が成功しなかった場合、例えば以下に説明するように、次の再試行のために、コンテンションウィンドウの長さは、再試行が成功するまで又は再送信の最大数に到達するまで、CWの最大さいずまで繰り返し調整されてもよい。CW期間は、CWの最小の開始サイズを規定する第１の値（CWminとして記される）と、CWの最大サイズを規定する第２の値（CWmaxとして記される）とにより規定されてもよい。
【００４９】
或る例示の実施例では、無線通信ユニット107は、バックオフ機構に従って無線通信デバイス104による無線送信を制御してもよい。無線通信ユニット107は、例えば以下に説明するように、無線送信の送信電力Pに基づいてバックオフ機構の少なくとも１つのバックオフパラメータを判定してもよい。
【００５０】
或る例示の実施例では、例えば以下に詳細に説明するように、無線通信ユニット107は、バックオフ期間の持続時間が無線送信の送信電力Pに基づいてもよいように、例えば、バックオフ期間の持続時時間が送信電力の増加に対して増加するように、１つ以上のバックオフパラメータを判定してもよい。
【００５１】
或る例示の実施例では、少なくとも１つのバックオフパラメータは、コンテンションウィンドウを規定するコンテンションウィンドウパラメータ（例えば、最小コンテンションウィンドウ値CWmin又は他の適切なCWパラメータ）を含んでもよい。例えば、無線通信ユニット107は、送信電力Pに基づいてコンテンションウィンドウを判定し、コンテンションウィンドウ内でバックオフ期間を選択し、コンテンション期間中に無線送信を開始する前に、バックオフ期間の間待機してもよい。
【００５２】
或る例示の実施例では、例えば前述のように、無線通信ユニット107は、無線送信を行うために、通信リンク（例えば、リンク121）の１つ以上のパラメータに基づいて送信電力を設定してもよい。
【００５３】
或る例示の実施例では、例えば以下に説明するように、無線通信ユニット107は、コンテンションウィンドウのサイズを調整してもよい（例えば、送信電力に対して単調に減少する所定の関数に基づいてコンテンションウィンドウのサイズを増加させてもよい）。
【００５４】
或る例示の実施例では、無線通信ユニット107は、無線通信ユニット107により使用される送信電力を低減するときに、CWのサイズを低減してもよい。例えば、無線通信ユニット107は、第１の送信電力を使用するときに、第１のCWサイズを有する第１のCWを使用してもよい。無線通信ユニット107は、第１の送信電力より小さい第２の送信電力を使用するときに、第１のCWサイズより短い第２のCWサイズを有する第２のCWを使用してもよい。低減したCWサイズは、無線通信ユニット107のチャネルアクセスのレベルの増加を生じてもよい。例えば、この理由は、バックオフ期間が低減した範囲から選択され得るからである。
【００５５】
従って、無線通信ユニット107は、増加したチャネルアクセス持続時間で低減した送信電力を使用することと、低減したチャネルアクセス持続時間で増加した送信電力を使用することとの間で選択してもよい。従って、短いCWは、送信電力に対応する干渉フットプリントを低くするための“インセンティブ（incentive）を無線通信ユニット107に提供してもよい。
【００５６】
ここでは、或る例示の実施例は、バックオフ期間の持続時間を調整するためにコンテンションウィンドウのサイズを調整することに関して記載されている。しかし、他の実施例では、バックオフ期間の持続時間は他の適切な方法で調整されてもよい。一例では、バックオフ期間の持続時間は、バックオフ期間がカウントされるバックオフカウンタレート（back-off  counter  rate）を調整することにより調整されてもよい。例えば、バックオフカウンタレートは、例えば送信電力Pの減少に応じて、バックオフ期間の持続時間を減少させるように増加してもよく、及び／又はバックオフカウンタレートは、例えば送信電力Pの増加に応じて、バックオフ期間の持続時間を増加させるように減少してもよい。
【００５７】
或る例示の実施例では、システム100は、比較的短い距離で通信する無線通信デバイス（例えば、デバイス104及び106）（例えば、10フィート以下の距離で通信するWiDiデバイス）を含んでもよい。このような短距離は、例えば、適切なレベルのSNR（例えば、30dBのSNR）を実現するために最大送信電力Pmaxを使用することは必要としない可能性がある。従って、無線通信ユニット107は、送信電力Pを低減し、例えば最大送信電力を利用するレガシーノードにより得られるチャネルアクセス機会に比べて増加したチャネルアクセス機会を得てもよい。無線通信ユニット107により利用される低減した送信電力は、１つ以上の他のデバイス（他の部屋に存在する他のWiDiデバイス）による同時送信を可能にしてもよい。
【００５８】
或る例示の実施例では、チャネルで送信する機会を競合する第１のノード（例えば、デバイス104）は、例えば第１のノードにより利用される第１の送信電力が第２のノードにより利用される第２の送信電力より低い場合、例えば第２のノード（例えば、デバイス106）に比べて低いレートで、第１のノードにより利用されるコンテンションウィンドウを増加することを許可されてもよい。
【００５９】
或る例示の実施例では、無線通信ユニット107は、最小コンテンションウィンドウ値CWminと最大コンテンションウィンドウ値CWmaxとの間でCWを保持してもよい。
【００６０】
或る例示の実施例では、無線通信ユニット107は、無線通信ユニット107により利用される送信電力Pに対応するCW調整関数（f(P)で示す）を保持してもよい。
【００６１】
或る例示の実施例では、関数f(P)は、送信電力Pに対して単調に減少してもよく、関数f(P)は１より大きい値を戻すように構成されてもよい。
【００６２】
或る例示の実施例では、関数f(P)は、例えば以下のように、送信電力Pと最大送信電力Pmaxとの間の関係に基づいてもよい。
【００６３】
f(P)=1+(P/Pmax)^2      (1)
【００６４】
或る例示の実施例では、関数f(P)は、間接的に（例えば、送信電力Pに基づく１つ以上のパラメータを介して）送信電力Pに基づいてもよい。例えば、関数f(P)は、例えば以下のように、送信電力Pにより実現される送信距離（D(P)で示す）と、送信電力Pmaxにより実現される最大送信距離（Dmax）で示すとの間の関係に基づいてもよい。
【００６５】
f(P)=1+(D(P)/Dmax)^2      (2)
【００６６】
他の実施例では、関数f(P)は、他の適切な関数及び／又は計算を含んでもよい。例えば、関数f(P)は、送信電力Pに対して単調に減少するチャネルアクセスのレベルを生じる如何なる適切な関数を含んでもよい。
【００６７】
或る例示の実施例では、システム100の２つ以上のノード（例えば、システム100のほとんどのノード又は全てのノード）は、実質的に同じ関数f(P)を利用してもよい。
【００６８】
或る例示の実施例では、無線通信ユニット107は、無線通信ユニット107が送信を行う受信ノードとの少なくとも１つの各リンクに対応する少なくとも１つの所要送信電力（P_requiredで示す）を判定してもよい。所要送信電力P_requiredは、リンクに対応するQoS要件を満たす推定送信電力を含んでもよい。例えば、無線通信ユニット107は、例えばいずれかの適切な標準又はプロトコルに従って、例えばデバイス106から受信したフィードバック信号品質及び／又は好適なMCSに基づいて、リンク121に対応する所要送信電力P_requiredを推定してもよい。
【００６９】
或る例示の実施例では、無線通信ユニット107は、コンテンションウィンドウ内にバックオフ期間を選択し、無線送信を開始する前にバックオフ期間の間待機してもよい。
【００７０】
或る例示の実施例では、無線通信ユニット107は、例えば衝突を検出したときに、送信電力及び／又は衝突ウィンドウを調整してもよい。
【００７１】
或る例示の実施例では、無線通信ユニット107は、例えば以下のように、例えば所要送信電力P_requiredと最大送信電力Pmaxとに基づいて、送信に使用される送信電力Pを判定してもよい。
【００７２】
P_required<=P<=Pmax      (3)
【００７３】
或る例示の実施例では、無線通信ユニット107は、例えば以下のように、現在のコンテンションウィンドウ値（CWmincurrent）を調整することにより調整された最小コンテンションウィンドウ値（CWminadjusted）を判定することで、コンテンションウィンドウを調整してもよい。
【００７４】
CWminadjusted=CWmincurrent*f(P)      (4)
【００７５】
或る例示の実施例では、無線通信ユニット107は、例えば以下のように、調整された値CWminadjustedと値CWmaxとに基づいてコンテンションウィンドウを設定することにより、コンテンションウィンドウを調整してもよい。
【００７６】
CWadjusted=Min(CWminadjusted,CWmax)      (5)
【００７７】
或る例示の実施例では、無線通信ユニット107は、例えば0とCWadjustedとの間の数を、例えばランダムに又は疑似ランダムに選択することにより、バックオフ期間を選択してもよい。
【００７８】
或る例示の実施例では、無線通信ユニット107は、コンテンションウィンドウを調整すると共に、送信電力Pを一緒に設定可能でもよい。例えば、無線通信ユニット107は、例えばチャネルアクセスのレベルの増加を得るために、コンテンションウィンドウサイズCW1を生じ得る、比較的低減した送信電力Pa（例えば、PmaxよりP_requiredに近い送信電力Pa）を選択してもよい。或いは、無線通信ユニット107は、例えば増加したコンテンションウィンドウサイズCW2>CW1と、比較的低減したレベルのチャネルアクセスを生じる、比較的増加した送信電力Pb（例えば、Pb>Pa）を選択してもよい。
【００７９】
或る例示の実施例では、例えばシステム100の全てのノードが非レガシーノードである場合、無線通信ユニット107は、例えば前述のように、通信リンク121の１つ以上のパラメータに基づいてリンク121で送信するために使用される送信電力を設定可能でもよい。例えばシステム100が１つ以上のレガシーノードを含む場合、無線通信ユニット107は、例えば前述のように、送信電力に基づいてコンテンションウィンドウを調整可能でもよい。一例では、無線通信ユニット107は、無線通信ユニット107が通信リンク121の１つ以上のパラメータに基づいてリンク121での送信に使用される送信電力を設定し、任意選択で送信電力に基づいてコンテンションウィンドウを調整する第１の動作モードと、無線通信ユニット107が送信電力に基づいてコンテンションウィンドウを調整する第２の動作モードとを有してもよい。例えば、無線通信ユニット107は、例えばレガシーノードが検出されない場合、第１の動作モードで動作してもよく、例えばレガシーノードを検出した場合、第２のモードに切り替えてもよい。
【００８０】
或る例示の実施例による無線通信方法を概略的に示す図２を参照する。或る例示の実施例では、図２の方法の１つ以上の動作は、無線通信システム（例えば、システム100（図１））の１つ以上の要素、例えば、無線通信デバイス（例えば、デバイス104及び／又は106（図１））及び／又は無線通信ユニット（例えば、無線通信ユニット107及び／又は108（図１））により実行されてもよい。
【００８１】
ブロック202に示すように、この方法は、無線通信デバイスにおいて無線送信の送信電力を設定することを含んでもよい。
【００８２】
ブロック204に示すように、送信電力の設定は、無線送信を行うための通信リンクの１つ以上のパラメータに基づいて送信電力を設定することを含んでもよい。例えば、送信電力の設定は、例えば図１を参照して前述したように、データレート、変調符号化方式、通信リンクのサービス品質、パスロス測定、通信リンク品質及び他のデバイスへの干渉のうち少なくとも１つに基づいて送信電力を設定することを含んでもよい。
【００８３】
ブロック208に示すように、この方法は、所定の反復率で送信電力の設定を繰り返すことを含んでもよい。例えば、無線通信ユニット107（図１）は、例えば前述のように、送信電力Pを繰り返し関し及び／又は設定してもよい。
【００８４】
ブロック210に示すように、この方法は、送信電力に基づいて、送信を行うためのバックオフ機構の１つ以上のパラメータを設定することを含んでもよい。例えば、この方法は、送信電力に基づいてバックオフ機構のコンテンションウィンドウを設定することを含んでもよい。
【００８５】
ブロック212に示すように、コンテンションウィンドウの設定は、送信電力に基づいてコンテンションウィンドウのサイズを調整することを含んでもよい。
【００８６】
ブロック214に示すように、コンテンションウィンドウのサイズの調整は、送信電力に対して単調に減少する所定の関数に基づいてコンテンションウィンドウのサイズを増加させることを含んでもよい。例えば、無線通信ユニット107（図１）は、例えば前述のように、関数f(P)に基づいてコンテンションウィンドウのサイズを調整してもよい。
【００８７】
ブロック216に示すように、コンテンションウィンドウのサイズの調整は、送信電力に基づいて最小コンテンションウィンドウ値を増加させることを含んでもよい。例えば、無線通信ユニット107（図１）は、例えば前述のように、送信電力Pに基づいてCWminの値を調整してもよい。
【００８８】
ブロック218に示すように、この方法は、コンテンションウィンドウ内でバックオフ期間を設定することを含んでもよい。例えば、無線通信ユニット107（図１）は、例えば図１を参照して前述したように、コンテンションウィンドウに基づいてバックオフ期間を選択し、バックオフ期間の間待機してもよい。
【００８９】
ブロック202に示すように、この方法は、衝突が検出されたか否かを判定することを含んでもよい。例えば、無線通信ユニット107（図１）は、リンクでの送信を行う前に、衝突が検出されたか否かを判定してもよい。
【００９０】
ブロック220に示すように、この方法は、例えばバックオフ期間が満了し、例えば衝突が検出されなかった後に、送信を行うことを含んでもよい。
【００９１】
或る例示の実施例に従って、ウィンドウ調整係数を利用する無線通信デバイスについて無線エリアネットワークでのウィンドウ調整係数（μで示す）の関数としての勝率を示す第１のグラフ302と、１つ以上の他の無線通信デバイスについて勝率を示す第２のグラフ304とを概略的に示す図３を参照する。他の実施例では、他の適切な結果が得られてもよい。
【００９２】
曲線302は、無線通信デバイスが衝突の検出時に調整係数μによりコンテンションウィンドウのサイズを調整するときの無線通信デバイスの勝率を示しており、曲線304は、例えばIEEE802.11標準に従って衝突の検出時に一定の係数2によりコンテンションウィンドウのサイズを調整した７個の他の無線通信デバイスの勝率を示している。図３に示すように、可変の調整係数を使用することにより、無線通信デバイスの勝率の増加が実現され得る。
【００９３】
他の例示の実施例では、シミュレーションの実施は、20×20のグリッド設定に従って分散された400個のノードを含んでもよい。シミュレーションの実施は、例えば、各ノードが最大送信電力Pmaxを常に利用するように構成された第１の電力利用モードにおいて、0.1005のノード毎のチャネル利用レベルを生じ得る。このシミュレーションの実施は、例えば、各ノードが例えば前述のように送信電力に基づいてコンテンションウィンドウを調整するように構成された第２の電力利用モードにおいて、0.3126のノード毎の増加したチャネル利用レベルを生じ得る。このシミュレーションの実施は、例えば、各ノードが前述のように最小の許容可能な送信電力を利用するように構成された第３の電力利用モードにおいて、0.4819の更に増加したノード毎のチャネル利用レベルを生じ得る。従って、例えば第１の電力利用モードにより実現されるスループットに比べて、第２の電力利用モードを使用することにより、約3の係数だけスループットの増加が実現され得る。例えば第１の電力利用モードにより実現されるスループットに比べて、第３の電力利用モードを使用することにより、約5の係数だけスループットの増加が実現され得る。
【００９４】
或る例示の実施例による製造物400を概略的に示す図５を参照する。物400は、ロジック404を格納する機械可読記憶媒体402を含んでもよい。ロジック404は、例えば、無線通信ユニット107（図１）及び／又は無線通信ユニット118（図１）の機能の少なくとも一部を実行するために、及び／又は図２の方法の１つ以上の動作を実行するために使用されてもよい。
【００９５】
或る例示の実施例では、物400及び／又は機械可読記憶媒体402は、揮発性メモリ、不揮発性メモリ、取り外し可能又は取り外し不可能メモリ、消去可能又は消去不能メモリ、書き込み可能又は再書き込み可能メモリ等を含む、データを格納可能な１つ以上の種類のコンピュータ可読記憶媒体を含んでもよい。例えば、機械可読記憶媒体402は、ランダムアクセスメモリ（RAM）、ダイナミックRAM（DRAM）、ダブルデータレートDRAM（DDR-DRAM）、シンクロナスDRAM（SDRAM）、スタティックRAM（SRAM）、読み取り専用メモリ（ROM）、プログラム可能ROM（PROM）、消去可能プログラム可能ROM（EPROM）、電気的消去可能プログラム可能ROM（EEPROM）、コンパクトディスクROM（CD-ROM）、記録可能コンパクトディスク（CD-R）、再書き込み可能コンパクトディスク（CD-RW）、フラッシュメモリ（例えば、NOR又はNANDフラッシュメモリ）、連想メモリ（CAM）、ポリマー（polymer）メモリ、位相変化（phase-change）メモリ、強誘電体（ferroelectric）メモリ、SONOS（silicon-oxide-nitride-oxide-silicon）メモリ、ディスク、フロッピー（登録商標）ディスク、ハードドライブ、光ディスク、磁気ディスク、カード、磁気カード、光カード、テープ、カセット等を含んでもよい。コンピュータ可読記憶媒体は、遠隔コンピュータから要求側のコンピュータに、通信リンク（例えば、モデム、無線又はネットワーク接続）を通じて搬送波又は他の伝搬媒体に具現されたデータ信号により伝達されるコンピュータプログラムをダウンロード又は伝送することに関与する如何なる適切な媒体を含んでもよい。
【００９６】
或る実施例では、ロジック404は、機械により実行された場合、機械に対してここに記載の方法、処理及び／又は動作を実行させ得る命令、データ及び／又はコードを含んでもよい。例えば、機械は、如何なる適切な処理プラットフォーム、コンピュータプラットフォーム、コンピュータデバイス、処理デバイス、コンピュータシステム、処理システム、コンピュータ、プロセッサ等を含んでもよく、ハードウェア、ソフトウェア、ファームウェア等の如何なる適切な組み合わせを使用して実装されてもよい。
【００９７】
或る実施例では、ロジック404は、ソフトウェア、ソフトウェアモジュール、アプリケーション、プログラム、サブルーチン、命令、命令セット、コンピュータコード、ワード、値、シンボル等を含んでもよく、このようなものとして実装されてもよい。命令は、ソースコード、コンパイル済コード、インタープリタ型コード、実行可能コード、静的コード、動的コード等のように、如何なる種類のコードを含んでもよい。命令は、プロセッサに特定の機能を実行するように指示する所定のコンピュータ言語、手法又はシンタックスに従って実装されてもよい。命令は、C、C++、Java（登録商標）、BASIC、Matlab、Pascal、Visual  BASIC、アセンブリ言語、機械コード等のような、如何なる適切なハイレベル、ローレベル、オブジェクト指向型、ビジュアル、コンパイル済、及び／又はインタープリタ型プログラミング言語を使用して実装されてもよい。
【００９８】
１つ以上の実施例を参照してここに記載した関数、動作、コンポーネント及び／又は機能は、１つ以上の他の実施例を参照してここに記載した１つ以上の関数、動作、コンポーネント及び／又は機能と組み合わされてもよく、組み合わされて利用されてもよい。また、この逆も同様である。
【００９９】
本発明の特定の特徴についてここに例示及び説明したが、多くの変更、置換、変形及び均等が当業者に思い浮かぶ。従って、特許請求の範囲は、本発明の真の要旨内に入る全てのこのような変更及び変形をカバーすることを意図する。
【図１】
0005571252.tif 000002
【図２】
0005571252.tif 000003
【図３】
0005571252.tif 000004
【図４】
0005571252.tif 000005